(57)【要約】【課題】  車道及び片持ち形式からなる張出歩道を建設するための張出歩道コンクリートブロック及びこれを用いた張出歩道の建設方法の提供。【解決手段】  車道側基礎部２と縦壁側基礎部３とその間の直角接合部４を有し、縦壁側基礎部３から立ち上がる縦壁６と上端から側部に水平に張り出す張出歩道部７を有し、直角接合部４の上面に平行な複数本の半円溝５からなる抜き型を有し、張出歩道部７の端部に手摺用柱挿着用孔９を有する防護壁部８を有し、縦壁６の背面部１０に張出支柱１１及び張出歩道部７の下面部１２に張出梁部１３を一体形成し有する張出歩道コンクリートブロック１からなり、車道側基礎部２と縦壁側基礎部３の間に打設する間詰コンクリート１４を被覆防護する床版１５及び張出歩道コンクリートブロック１からなるコンクリート製張出歩道構成体。【選択図】      図３
2014009472.tif 000002
【特許請求の範囲】
【請求項１】
車道方向に延びる車道側基礎部と該車道側基礎部に平行な縦壁側基礎部からなり、該車道側基礎部と該縦壁側基礎部との間を直角に係合する直角接合部を有し、該縦壁側基礎部から垂直に路面まで立ち上がる縦壁と該縦壁の上端から車道側基礎部と反対側に水平に張り出す張出歩道部を有し、該車道側基礎部と該縦壁側基礎部の間を両基礎部の中央部を直角方向に係合する直角接合部を有し、該直角接合部の上面に車道側基礎部と平行な複数本の半円溝からなる抜き型を配設し、該張出歩道部の端部に手摺用柱挿着用孔を有する縁石状の防護壁部を形成し、該縦壁背面部に張出支柱及び該張出歩道下面部に張出梁部を一体形成して張出歩道コンクリートブロックとし、該車道側基礎部と該縦壁側基礎部の間に打設する間詰コンクリートを被覆防護するための床版及び該張出歩道コンクリートブロックからなることを特徴とするコンクリート製張出歩道構成体。
【請求項２】
車道側基礎部と縦壁側基礎部の間の直角接合部は、請求項１の中央部の直角接合部に代えて車道側基礎部及び縦壁側基礎部と同じ長さの直角接合部とし、かつ、該直角接合部の高さは請求項１の中央部の直角接合部の高さに代えて、車道側基礎部分の高さの略１／３としていることを特徴とする請求項１の手段のコンクリート製張出歩道構成体。
【請求項３】
本発明に係るコンクリート製張出歩道構成体である上記の請求項１に係る手段のコンクリート製張出歩道構成体を用いてコンクリート製張出歩道を車道の路側に建設する方法として、車道の下部の基礎工の路盤上に基礎コンクリートを打設し、該基礎コンクリートの上に車道側に張り出した張出歩道コンクリートブロックの車道側基礎部分を載置し、車道側基礎部と縦壁側基礎部の間の中央部の直角接合部と、隣接配置した他の張出歩道コンクリートブロックの車道側基礎部と縦壁側基礎部の間の中央部の直角接合部との両者間に間詰コンクリートを現場打ちし、該間詰コンクリートの養生を待つことなく直ちに間詰コンクリート上に床版を車道側基礎部と縦壁側基礎部の上に載置して車道路用の路盤材を敷設し、さらにアスファルト舗装し、かつ縦壁に沿って円形水路を内在する側溝を設置しかつ歩車道境界ブロックである縁石を敷設することを特徴とする張出歩道を有する車道の建設方法。
【請求項４】
本発明に係るコンクリート製張出歩道構成体である上記の請求項２に係る手段のコンクリート製張出歩道構成体を用いてコンクリート製張出歩道を車道の路側に建設する方法として、車道の下部の基礎工の路盤上に基礎コンクリートを打設し、該基礎コンクリートの上に車道側に張り出した張出歩道コンクリートブロックの車道側基礎部分を載置し、車道側基礎部と縦壁側基礎部の車道方向の長さと同じ長さの直角接合部とし、該直角接合部の高さを車道側基礎部分の高さの略１／３とし、かつ、これと同じ長さ及び高さからなる隣接配置した他の張出歩道コンクリートブロックの車道側基礎部と縦壁側基礎部の間の直角接合部との両者間の直角接合部に間詰コンクリートを現場打ちし、該間詰コンクリートの養生を待つことなく直ちに間詰コンクリート上に床版を車道側基礎部と縦壁側基礎部の上に載置して車道路面の路盤材を敷設し、さらにアスファルト舗装し、かつ縦壁に沿って円形水路を内在する側溝を設置しかつ歩車道境界ブロックである縁石を敷設することを特徴とする請求項３の手段に代る張出歩道を有する車道の建設方法。
【発明の詳細な説明】
【技術分野】
【０００１】
この発明は、高架形式の車道などの側部に平行してコンクリート製の歩道を張出し、歩道の下部の空間を一般道路などに有効利用し、あるいは山間部、内海沿岸部、湖岸部などの設けられた車道から山間の谷の側部、内海沿岸の側部、または湖岸の側部の上部に片持ち状の張出歩道を設けて狭い空間を有効利用する張出歩道を有する車道の建設技術に関する。
【背景技術】
【０００２】
高架形式の車道及び歩道を建設する場所に既存の施設が全くなければ、その場所を切り開くだけで高架形式の車道及び歩道を建設することができる。しかし、その建設場所に既存の道路などがあって、歩道を含めた車道の建設の余地の無い場合や、あるいは海岸沿いや河川沿いで、その側部に沿う狭隘な空き地上に車道及び歩道を有する幅広の高架を建設する余地のない場所では、そのままでは建設できない。この様な場合、狭隘な空き地、例えば道路が既にある場合、その道路に沿う隣接の空き地の上あるいはその道路の上に高架形式の車道を建設する。この場合、路面の幅が狭い場合には、既存の道路に沿う空き地あるいは既存の道路上に高架形式の車道を建設し、歩道は高架形式の車道から既存の道路上やその他の上に張り出させるなどの工夫をして建設している。この様な高架形式の構造からなる車道に沿う歩道を張出さした構造が種々提案されている（例えば、特許文献１、特許文献２、特許文献３、又は特許文献４参照。）。
【０００３】
さらに、現場で打設する生コンクリート量を過大に増加させる必要をなくして、現場の敷設条件に対応して張出歩道ブロック自体の転倒や滑動を阻止した張出歩道の敷設方法が提案されている（例えば、特許文献５参照。）。あるいは、車両の通行が阻害される期間が極めて短くなる張出歩道ブロックの構築方法が提案されている（例えば、特許文献６参照。）。同様に張出歩道の構築を少ない工数で、しかも短い工期で施工できる張出歩道の構造体が提案されている（例えば、特許文献７参照。）。
【先行技術文献】
【特許文献】
【０００４】
【特許文献１】特開平６−２２８９０３号公報
【特許文献２】特開平７−３１７００５号公報
【特許文献３】特開平１０−４６５０８号公報
【特許文献４】特開２００５−７６２３６号公報
【特許文献５】特開２００５−１９４７２２号公報
【特許文献６】特開２００７−３２２０７号公報
【特許文献７】特開２００７−１００４１２号公報
【発明の概要】
【発明が解決しようとする課題】
【０００５】
従来の車道の側部に設けられている片持ち式の張出歩道の施工では、工場製品である張出歩道ブロックを施工現場に設置した後、これらを固定するために車道の下部に延在する張出歩道ブロックの車道側基礎部分の上に現場打ちで間詰コンクリートを打設するが、この場合、打設した間詰コンクリートの養生のために最低でも３日程度は必要であった。しかし、その養生期間中は、打設した間詰コンクリートの上部に車道側の路盤材あるいは側溝ブロックや歩車道境界ブロックなどを敷設するなどの、上部工事である埋め戻しは実施できなかった。
【０００６】
そこで、本発明が解決しようとする課題は、車道の下部に張り出した張出歩道ブロックの車道側基礎部に現場打ちで間詰コンクリートを打設し、その間詰コンクリートの養生による固化を待つことなく、間詰コンクリートの養生をしながら車道側の路盤材あるいは側溝ブロックや歩車道境界ブロックなどを敷設するなどの上部工事である埋め戻しを可能とする張出歩道コンクリートブロック、及び、コンクリート製、ガラス繊維含有モルタル製あるいは鉄板製などの剛性を有する素材からなる床版（以下、単に「床版」という。）からなるコンクリート製張出歩道構成体を提供することであり、さらに、このコンクリート製張出歩道構成体を用いて車道及び片持ち形式からなる張出歩道を建設する方法を提供することである。
【課題を解決するための手段】
【０００７】
本発明の課題を解決するための手段は、請求項１の手段では、車道方向に延びる車道側基礎部と該車道側基礎部に平行な縦壁側基礎部からなり、該車道側基礎部と該縦壁側基礎部との間を直角に係合する直角接合部を有し、該縦壁側基礎部から垂直に路面まで立ち上がる縦壁と該縦壁の上端から車道側基礎部と反対側に水平に張り出す張出歩道部を有し、該車道側基礎部と該縦壁側基礎部の間の両基礎部の中央を直角方向に係合する直角接合部を有し、該直角接合部の上面に車道側基礎部と平行な複数本の半円溝からなる抜き型を配設し、該張出歩道部の端部に手摺用柱の挿着用孔を有する縁石状の防護壁部を形成し、該縦壁背面部に張出支柱及び該張出歩道下面部に張出梁部を一体形成して張出歩道コンクリートブロックとし、該車道側基礎部と該縦壁側基礎部の間に打設する間詰コンクリートを被覆防護するための床版及び該張出歩道コンクリートブロックからなることを特徴とするコンクリート製張出歩道構成体である。
【０００８】
請求項２の手段では、車道側基礎部と縦壁側基礎部の間の直角接合部は、請求項１の中央の直角接合部に代えて車道側基礎部及び縦壁側基礎部と同じ長さの直角接合部とし、かつ、該直角接合部の高さは請求項１の中央の直角接合部の高さに代えて、車道側基礎部分の高さの略１／３としていることを特徴とする請求項１の手段のコンクリート製張出歩道構成体である。
【０００９】
請求項３の手段では、本発明に係るコンクリート製張出歩道構成体である上記の請求項１に係る手段のコンクリート製張出歩道構成体を用いてコンクリート製張出歩道を車道の路側に建設する方法である。この方法では、車道の下部の基礎工の路盤上に基礎コンクリートを打設し、該基礎コンクリートの上に車道側に張り出した張出歩道コンクリートブロックの車道側基礎部分を載置し、車道側基礎部と縦壁側基礎部の間の中央の直角接合部と、隣接配置した他の張出歩道コンクリートブロックの車道側基礎部と縦壁側基礎部の間の中央の直角接合部との両者間に間詰コンクリートを現場打ちし、該間詰コンクリートの養生を待つことなく直ちに間詰コンクリート上に床版を車道側基礎部と縦壁側基礎部の上に載置して車道路用の路盤材を敷設し、さらにアスファルト舗装し、かつ縦壁に沿って円形水路を内在する側溝を設置しかつ歩車道境界ブロックである縁石を敷設することを特徴とする張出歩道を有する車道の建設方法である。
【００１０】
請求項４の手段では、本発明に係るコンクリート製張出歩道構成体である上記の請求項２に係る手段のコンクリート製張出歩道構成体を用いてコンクリート製張出歩道を車道の路側に建設する方法である。この方法では、車道の下部の基礎工の路盤上に基礎コンクリートを打設し、該基礎コンクリートの上に車道側に張り出した張出歩道コンクリートブロックの車道側基礎部分を載置し、車道側基礎部と縦壁側基礎部の車道方向の長さと同じ長さの直角接合部とし、該直角接合部の高さを車道側基礎部分の高さの略１／３とし、かつこれと同様の長さ及び高さからなる隣接配置した他の張出歩道コンクリートブロックの車道側基礎部と縦壁側基礎部の間の直角接合部との両者間の直角接合部に間詰コンクリートを現場打ちし、該間詰コンクリートの養生を待つことなく直ちに間詰コンクリート上に床版を車道側基礎部と縦壁側基礎部の上に載置して車道路面の路盤材を敷設し、さらにアスファルト舗装し、かつ縦壁に沿って円形水路を内在する側溝を設置しかつ歩車道境界ブロックである縁石を敷設することを特徴とする請求項３の手段に代る張出歩道を有する車道の建設方法である。
【発明の効果】
【００１１】
本発明の張出歩道コンクリートブロックと、間詰コンクリートを覆う床版からなるコンクリート製張出歩道構成体としたことで、現場で張出歩道コンクリートブロックを設置して間詰コンクリートを現場打ちしても、これらの間詰コンクリートに床版を被せて保護するので、現場打ちした間詰コンクリートの養生のために、略３日の養生期間を設けることなく、養生しながら直ちに間詰コンクリートの上に車道路面の路盤材を敷設し、又アスファルト舗装を行い、縦壁に沿って水路を内在する側溝を設置したりあるいは張出歩道の境界部に歩道境界ブロックとしての縁石を敷設するなどを継続して行いうる。また、床版は、カウンターウエイトと役割をするので、安定して養生しながら上記した路盤材の敷設などの上面工事を実施できる。したがって、現場で工事のために車両規制をする期間が短期間で済み、早期に工事区間を解放できるので、交通を大きく妨げることなく安全であり、かつ、建設コストを大幅に低減できる。
【００１２】
さらに、張出歩道コンクリートブロックの車道側基礎部と縦壁側基礎部の間の直角接合部を中央部にのみに設けた直角接合部とし、この中央部の直角接合部の前後の空間に現場打ちで間詰コンクリートを打設するものとすることで、張出歩道コンクリートブロックの軽量化を図っている。
【００１３】
さらに、張出歩道コンクリートブロックの車道側基礎部と縦壁側基礎部の間の直角接合部の長さを張出歩道コンクリートブロックの長さと同じ長さとし、さらに、この直角接合部の高さを車道側基礎部分の高さの略１／３と低くして、この低い高さの直角接合部の上面に現場打で間詰コンクリートを打設するものとすることで、張出歩道コンクリートブロックの歩道と反対側の基礎部を安定した状態で、工事現場に搬送することができる。
【００１４】
さらに、中央部の直角接合部の上面には、車道側基礎部と平行な複数本の半円溝からなる抜き型を設けているので、工場における張出歩道コンクリートブロックの製造が容易に速やかに実施できる。
【図面の簡単な説明】
【００１５】
【図１】第１の実施の形態の張出歩道コンクリートブロックの平面図。
【図２】第１の実施の形態の張出歩道コンクリートブロックの正面図。
【図３】第１の実施の形態の張出歩道コンクリートブロックの背面から見た斜視図。
【図４】第２の実施の形態の張出歩道コンクリートブロックの平面図。
【図５】第２の実施の形態の張出歩道コンクリートブロックの正面図。
【図６】第２の実施の形態の張出歩道コンクリートブロックの背面から見た斜視図。
【図７】第３の実施の形態の張出歩道コンクリートブロックの平面図。
【図８】第３の実施の張出歩道コンクリートブロックの正面図。
【図９】第３の実施の張出歩道コンクリートブロックの歩道側から見た右側面図。
【図１０】張出歩道コンクリートブロックの設置方法を示す図で、基礎工の路盤上に基礎コンクリートを打ち、その上に張出歩道コンクリートブロックを載置した断面図。
【図１１】張出歩道コンクリートブロックの車道側基礎部と縦壁側基礎部の間に間詰コンクリートを打設した断面図。
【図１２】コンクリートを打設した間詰コンクリートの上に床版を載置した断面図。
【図１３】床版を載置した上に路盤材及び円形水路を有する側溝を載置し、さらに歩車道境界ブロックの縁石を張出歩道部の端に設けて、車道に埋め戻した断面図。
【発明を実施するための形態】
【００１６】
本発明の実施の形態について、図面を参照して以下に順次に説明するものとする。
【００１７】
本発明の第１の実施の形態の張出歩道コンクリートブロック１の構成部では、車道方向に延びる車道側基礎部２とこの車道側基礎部２に平行な縦壁側基礎部３からなり、これらの車道側基礎部２と縦壁側基礎部３との間を車道方向と直角に係合して一体化された直角接合部４を有し、さらに縦壁側基礎部３の側部に沿って垂直に走行用の路面まで立ち上がる縦壁６を有し、この縦壁６の上端から車道側基礎部２と反対側に水平に張り出している張出歩道部７を有している。これらにおいて、車道側基礎部２と縦壁側基礎部３の間の両基礎部２及び３の中央を直角方向に係合する直角接合部４を有している。これらの直角接合部４の上面には、車道側基礎部２と平行な複数本の半円溝５からなる抜き型を配設している。一方、張出歩道部７の端部には、手摺用柱の挿着用孔９を有する縁石状の防護壁部８を有する。さらに、縦壁背面部１０には、張出支柱１１及び張出歩道下面部１２には、張出梁部１３を一体形成して張出歩道コンクリートブロック１となっている。この車道側基礎部２と縦壁側基礎部３の間には、打設した間詰コンクリート１４を被覆して防護するための床版１５を有する。このように、該張出歩道コンクリートブロック１と打設した間詰コンクリート１４を被覆して防護するための床版１５からなる、コンクリート製張出歩道構成体２１である。
【００１８】
これらの張出歩道コンクリートブロック１の大きさは、例えば、図１の平面図に示す第１の実施の形態の張出歩道コンクリートブロック１では、車道方向の長さは１５００ｍｍ、車道方向に直角な幅方向の大きさは、図２の正面図に示すように、車道の下部の基礎部の１３５０ｍｍと張出歩道部７の大きさの２０２０ｍｍとを合せた大きさの３３７０ｍｍの幅を有する。さらに車道の下部に位置する車道側基礎部２と縦壁側基礎部３とこれらの間に直角方向に一体化されている直角接合部４の底面を合せた幅は１６００ｍｍである。この内、車道側基礎部２の底部の幅は３５０ｍｍ、直角接合部４の底部の幅は５００ｍｍ、縦壁側基礎部３と縦壁６の両者の底部の幅は４５０ｍｍである。また、車道側基礎部２の上面の幅は２００ｍｍ、縦壁側基礎部３の側部の縦壁６の上面の幅は１５０ｍｍである。さらに車道側基礎部２と縦壁側基礎部３の高さは５００ｍｍである。さらに、図１に示すように、直角接合部４の車道方向の厚さは２４０ｍｍであり、これは車道方向の長さが１５００ｍｍである車道側基礎部２と縦壁側基礎部３の車道方向の中央に１４０ｍｍの直角接合部４となって両者を接合している。さらに図２に示すように、この直角接合部４の高さは下面から略４５０ｍｍで、その上部には、車道方向に設けられた半径５０ｍｍの半円溝５がある。この半円溝５は製造時の抜き型であり、３本が互いに略１００ｍｍずつ離間して設けられている。さらに図２に示すように、張出歩道部７の端部には、幅が２２０ｍｍで、歩道面からの高さが１２０ｍｍの歩道の防護壁部８が上方に突出して形成されている。この防護壁部８には、その上面から下部に張出歩道の安全を確保するための手摺を設けるための手摺用柱挿着用孔９が設けられている。
【００１９】
図３は、第１の実施の形態の張出歩道コンクリートブロック１を背面から見た斜視図であり、３個の張出歩道コンクリートブロック１からなっている。縦壁６の背面と張出歩道部７の背部には、それぞれ一体成形された張出支柱１１と張出梁部１３があり、縦壁６及び張出歩道部７がこれらの張出支柱１１と張出梁部１３で補強されている。この第１の実施の形態の張出歩道コンクリートブロック１では、間詰コンクリート１４は車道側基礎部２と縦壁側基礎部３の間の直角方向に一体化されている直角接合部４の前後の空隙の部分に打設されることとなる。
【００２０】
本発明の第２の実施の形態の張出歩道コンクリートブロック１では、上記の第１の実施の形態の張出歩道コンクリートブロック１の車道側基礎部２と縦壁側基礎部３の中央に一体に設けられている厚さが２４０ｍｍである直角接合部４に代えて、車道側基礎部２及び縦壁側基礎部３の車道方向の長さと同じ長さからなる直角接合部４が設けられている。すなわち、この直角接合部４の車道方向の長さは１５００ｍｍである。この直角接合部４の高さは１７０ｍｍで、これは第１の実施の形態の直角接合部４の高さの略４５０ｍｍよりも低くなっているが、図６の斜視図に見られるように空隙分はなく、長さ１５００ｍｍ×幅１９００ｍｍの平面からなっている。この第２の実施の形態の張出歩道コンクリートブロック１の平面図は図４に、正面図は図５に示す通りである。
【００２１】
図６は、第２の実施の形態の張出歩道コンクリートブロック１の背面から見た斜視図であり、３個の張出歩道コンクリートブロック１からなっている。縦壁６の背面と張出歩道部７の背部には、それぞれ一体成形された張出支柱１１と張出梁部１３があり、縦壁６及び張出歩道部７が張出支柱１１と張出梁部１３で補強されている。この第２の実施の形態の張出歩道コンクリートブロック１では、直角接合部４の車道方向の長さが張出歩道コンクリートブロック１の車道方向の長さと全く同じ長さであり、上記の図５で説明したように、直角接合部４の高さは１７０ｍｍで、第１の実施例に比して低く、間詰コンクリート１４は、この直角接合部４の１７０ｍｍの底版上の全面に打設されることとなる。
【００２２】
図７の平面図、図８の正面図及び図９の右側面図は、第３の実施の形態の張出歩道コンクリートブロック１を示す図である。この第３の実施の形態の張出歩道コンクリートブロック１は車道側基礎部２と縦壁側基礎部３の中央の直角接合部４の上面に設けられている半円溝５が、図７の平面図に見られるように、テーパー状の半円溝５となっているものであり、張出歩道コンクリートブロック１を工場生産する際に固化したブロックを抜き易くした型枠の形状が転写されたものであり、現場で路盤に設置する際に間詰コンクリート１４がこの部分を埋設して直角接合部４の前後の空隙に打設され、固化されるとブロックと間詰ンコンクリート１４との一体化が一層に確実となり堅固となる。
【００２３】
本発明の第１〜３の実施の形態の張出歩道コンクリートブロック１の上記した図には、これらのコンクリートブロックの内部構造は示していないが、それぞれ必要強度に対応して、コンクリートの内部を鉄筋で補強して製造されている。
【００２４】
ここで、本発明に係る張出歩道コンクリートブロック１を用いて、張出歩道部７を設ける方法の第１の実施例について以下に説明する。車道を敷設するために、工場生産した張出歩道コンクリートブロック１を、工事現場に搬送し、図１０に示すように、車道の下部の基礎工の路盤１６の上に、先ず基礎コンクリート１７を打設する。この打設した基礎コンクリート１７の上に車道側に張り出した張出歩道コンクリートブロック１の車道側基礎部２と縦壁側基礎部３とこれらの間に一体化されている高さ略４５０ｍｍの中央の直角接合部４とを載置して、張出歩道コンクリートブロック１を設置する。次いで、図１１に示すように、隣接配置した他の張出歩道コンクリートブロック１との間の、車道側基礎部２と縦壁側基礎部３の間の中央部の直角接合部４の前後の間に、間詰コンクリート１４を現場打ちで打設する。次いで、図１２に示すように、打設した間詰コンクリート１４が養生されるのを待つことなく、直ちに打設した間詰コンクリート１４の上にこれらを覆う大きさの床版１５を車道側基礎部２と縦壁側基礎部３の上に載置する。この大きな床版１５は張出歩道部７のカウンターウエイトの役割も有し、工事の際の安定化に貢献するものとしている。さらに、図１３に示すように、この床版１５の載置で未養生の間詰コンクリート１４は影響を受けることなく、載置した床版１５の上に車道用の路盤材１８を敷設でき、さらにその上にアスファルトを舗装することでアスファルト舗装面２１を形成する。一方で、縦壁６に沿って円形水路１９ａを内在する側溝１９を床版１５の上に設置し、さらに、張出歩道部７の歩車道境界側に、歩車道境界ブロックである縁石２０を敷設することにより、張出歩道を有する車道の躯体工事が終了する。この後は、必要により、縁石２０に車道側部のガード２２を設け、一方、張出歩道部７の端部の防護壁部８に手摺２３を取り付け歩道を通る人と自転車などの安全を図るものとする。
【００２５】
さらに、本発明に係る張出歩道コンクリートブロック１として、請求項２に係る手段の張出歩道コンクリートブロック１を用いてコンクリート製の張出歩道部７を車道の路側に設ける方法の第２の実施例について以下に説明する。車道を敷設するために、工場生産した請求項２に係る手段の張出歩道コンクリートブロック１を、工事現場に搬送し、上記と同様に、図１０に示すように、車道の下部の基礎工の路盤１６の上に、基礎コンクリート１７を打設する。この打設した基礎コンクリート１７の上に車道側に張り出した張出歩道コンクリートブロック１の車道側基礎部２と縦壁側基礎部３とこれらの間に一体化されている中央の直角接合部４とを載置する。この場合は、中央の直角接合部４の車道方向の長さは、上記した第１の実施例と異なり、図４に示すように、張出歩道コンクリートブロック１の車道方向の長さと同じであり、中央の直角接合部４の高さは１７０ｃｍと低いが、直角接合部４の面積は、図６に見られるように、張出歩道コンクリートブロック１の車道側の基礎部分の長さを有する面積からなっている。したがって、第１の実施例と異なり、第２の実施例では、張出歩道コンクリートブロック１の中央部の直角接合部４の平面の上に間詰コンクリート１４が乗るように、図１１に示すように、現場打ちで打設する。次いで、図１２に示すように、打設した間詰コンクリート１４の養生を待つことなく直ちに、この間詰コンクリート１４の上を覆う大きさのカウンターウエイトの役割をする床版１５を車道側基礎部２と縦壁側基礎部３の上に載置して安定化する。さらに、図１３に示すように、床版１５の載置によって未養生の間詰コンクリート１４は影響を与えることなく、載置した床版１５の上に車道用の路盤材１８を敷設し、さらにその上にアスファルトを舗装してアスファルト舗装面２１を形成する。さらに縦壁６に沿って円形水路１９ａを内在する側溝１９を床版１５の上に設置し、さらに張出歩道部７の歩車道境界側に、歩車道境界ブロックである縁石２０を敷設して、張出歩道を有する車道の工事を終了する。この後は、必要により、縁石２０に車道側部のガード２２を設け、一方、張出歩道部７の端部の防護壁部８に手摺２３を取り付け歩道を通る人と自転車などの安全を図るものとする。
【符号の説明】
【００２６】
１  張出歩道コンクリートブロック
２  車道側基礎部
３  縦壁側基礎部
４  直角接合部
５  半円溝
６  縦壁
７  張出歩道部
８  防護壁部
９  手摺用柱挿着用孔
１０  縦壁背面部
１１  張出支柱
１２  張出歩道下面部
１３  張出梁部
１４  間詰コンクリート
１５  床版
１６  基礎工の路盤
１７  基礎コンクリート
１８  路盤材
１９  円形水路を内在する側溝
１９ａ  円形水路
２０  縁石（歩車道境界ブロック）
２１  アスファルト舗装面
２２  車道側部のガード
２３  手摺
【図１】
2014009472.tif 000003
【図２】
2014009472.tif 000004
【図３】
2014009472.tif 000005
【図４】
2014009472.tif 000006
【図５】
2014009472.tif 000007
【図６】
2014009472.tif 000008
【図７】
2014009472.tif 000009
【図８】
2014009472.tif 000010
【図９】
2014009472.tif 000011
【図１０】
2014009472.tif 000012
【図１１】
2014009472.tif 000013
【図１２】
2014009472.tif 000014
【図１３】
2014009472.tif 000015
【手続補正書】
【提出日】平成24年11月15日(2012.11.15)
【手続補正１】
【補正対象書類名】特許請求の範囲
【補正対象項目名】全文
【補正方法】変更
【補正の内容】
【特許請求の範囲】
【請求項１】
車道方向に延びる車道側基礎部と該車道側基礎部に平行な縦壁側基礎部からなり、該車道側基礎部と該縦壁側基礎部との間の両基礎部の中央部を直角に係合する直角接合部を有し、該縦壁側基礎部から垂直に路面まで立ち上がる縦壁と該縦壁の上端から車道側基礎部と反対側に水平に張り出す張出歩道部を有し、該直角接合部の上面に車道側基礎部と平行な複数本の半円溝からなる抜き型を配設し、該張出歩道部の端部に手摺用柱挿着用孔を有する縁石状の防護壁部を形成し、該縦壁背面部に張出支柱及び該張出歩道下面部に張出梁部を一体形成して張出歩道コンクリートブロックとし、該車道側基礎部と該縦壁側基礎部の間に打設する間詰コンクリートを被覆防護するための床版及び該張出歩道コンクリートブロックからなることを特徴とするコンクリート製張出歩道構成体。
【請求項２】
車道側基礎部と縦壁側基礎部の間の直角接合部は、請求項１記載の中央部を直角に係合する直角接合部に代えて車道側基礎部及び縦壁側基礎部と同じ長さの直角接合部とし、かつ、該直角接合部の高さは請求項１記載の中央部を直角に係合する直角接合部の高さに代えて、車道側基礎部の高さの略１／３としていることを特徴とする請求項１記載のコンクリート製張出歩道構成体。
【請求項３】
本発明に係るコンクリート製張出歩道構成体である請求項１記載のコンクリート製張出歩道構成体を用いてコンクリート製張出歩道を車道の路側に建設する方法として、車道の下部の基礎工の路盤上に基礎コンクリートを打設し、該基礎コンクリートの上に車道側に張り出した張出歩道コンクリートブロックの車道側基礎部を載置し、車道側基礎部と縦壁側基礎部の間の中央部の直角接合部と、隣接配置した他の張出歩道コンクリートブロックの車道側基礎部と縦壁側基礎部の間の中央部の直角接合部との両者間に間詰コンクリートを現場打ちし、該間詰コンクリートの養生を待つことなく直ちに間詰コンクリート上に床版を車道側基礎部と縦壁側基礎部の上に載置して車道路用の路盤材を敷設し、さらにアスファルト舗装し、かつ縦壁に沿って円形水路を内在する側溝を設置しかつ歩車道境界ブロックである縁石を敷設することを特徴とする張出歩道を有する車道の建設方法。
【請求項４】
本発明に係るコンクリート製張出歩道構成体である請求項２記載のコンクリート製張出歩道構成体を用いてコンクリート製張出歩道を車道の路側に建設する方法として、車道の下部の基礎工の路盤上に基礎コンクリートを打設し、該基礎コンクリートの上に車道側に張り出した張出歩道コンクリートブロックの車道側基礎部を載置し、車道側基礎部と縦壁側基礎部の車道方向の長さと同じ長さの直角接合部とし、該直角接合部の高さを車道側基礎部の高さの略１／３とし、かつ、これと同じ長さ及び高さからなる隣接配置した他の張出歩道コンクリートブロックの車道側基礎部と縦壁側基礎部の間の直角接合部との両者間の直角接合部に間詰コンクリートを現場打ちし、該間詰コンクリートの養生を待つことなく直ちに間詰コンクリート上に床版を車道側基礎部と縦壁側基礎部の上に載置して車道路面の路盤材を敷設し、さらにアスファルト舗装し、かつ縦壁に沿って円形水路を内在する側溝を設置しかつ歩車道境界ブロックである縁石を敷設することを特徴とする張出歩道を有する車道の建設方法。
【手続補正２】
【補正対象書類名】明細書
【補正対象項目名】０００５
【補正方法】変更
【補正の内容】
【０００５】
従来の車道の側部に設けられている片持ち式の張出歩道の施工では、工場製品である張出歩道ブロックを施工現場に設置した後、これらを固定するために車道の下部に延在する張出歩道ブロックの車道側基礎部分の上に現場打ちで間詰コンクリートを打設するが、この場合、打設した間詰コンクリートの養生のために最低でも３日程度は必要であった。しかし、その養生期間中は、打設した間詰コンクリートの上部に車道側の路盤材あるいは側溝ブロックや歩車道境界ブロックなどを敷設するなどの、上部工事である埋め戻しは実施できなかった。
【手続補正３】
【補正対象書類名】明細書
【補正対象項目名】０００７
【補正方法】変更
【補正の内容】
【０００７】
本発明の課題を解決するための手段は、請求項１の手段では、車道方向に延びる車道側基礎部と該車道側基礎部に平行な縦壁側基礎部からなり、該車道側基礎部と該縦壁側基礎部との間の両基礎部の中央部を直角に係合する直角接合部を有し、該縦壁側基礎部から垂直に路面まで立ち上がる縦壁と該縦壁の上端から車道側基礎部と反対側に水平に張り出す張出歩道部を有し、該直角接合部の上面に車道側基礎部と平行な複数本の半円溝からなる抜き型を配設し、該張出歩道部の端部に手摺用柱の挿着用孔を有する縁石状の防護壁部を形成し、該縦壁背面部に張出支柱及び該張出歩道下面部に張出梁部を一体形成して張出歩道コンクリートブロックとし、該車道側基礎部と該縦壁側基礎部の間に打設する間詰コンクリートを被覆防護するための床版及び該張出歩道コンクリートブロックからなることを特徴とするコンクリート製張出歩道構成体である。
【手続補正４】
【補正対象書類名】明細書
【補正対象項目名】０００８
【補正方法】変更
【補正の内容】
【０００８】
請求項２の手段では、車道側基礎部と縦壁側基礎部の間の直角接合部は、請求項１の手段の中央部を直角に係合する直角接合部に代えて車道側基礎部及び縦壁側基礎部と同じ長さの直角接合部とし、かつ、該直角接合部の高さは請求項１の手段の中央部の直角接合部の高さに代えて、車道側基礎部の高さの略１／３としていることを特徴とする請求項１の手段のコンクリート製張出歩道構成体である。
【手続補正５】
【補正対象書類名】明細書
【補正対象項目名】０００９
【補正方法】変更
【補正の内容】
【０００９】
請求項３の手段では、本発明に係るコンクリート製張出歩道構成体である請求項１の手段のコンクリート製張出歩道構成体を用いてコンクリート製張出歩道を車道の路側に建設する方法である。この方法では、車道の下部の基礎工の路盤上に基礎コンクリートを打設し、該基礎コンクリートの上に車道側に張り出した張出歩道コンクリートブロックの車道側基礎部を載置し、車道側基礎部と縦壁側基礎部の間の中央部の直角接合部と、隣接配置した他の張出歩道コンクリートブロックの車道側基礎部と縦壁側基礎部の間の中央部の直角接合部との両者間に間詰コンクリートを現場打ちし、該間詰コンクリートの養生を待つことなく直ちに間詰コンクリート上に床版を車道側基礎部と縦壁側基礎部の上に載置して車道路用の路盤材を敷設し、さらにアスファルト舗装し、かつ縦壁に沿って円形水路を内在する側溝を設置しかつ歩車道境界ブロックである縁石を敷設することを特徴とする張出歩道を有する車道の建設方法である。
【手続補正６】
【補正対象書類名】明細書
【補正対象項目名】００１０
【補正方法】変更
【補正の内容】
【００１０】
請求項４の手段では、本発明に係るコンクリート製張出歩道構成体である請求項２の手段のコンクリート製張出歩道構成体を用いてコンクリート製張出歩道を車道の路側に建設する方法である。この方法では、車道の下部の基礎工の路盤上に基礎コンクリートを打設し、該基礎コンクリートの上に車道側に張り出した張出歩道コンクリートブロックの車道側基礎部を載置し、車道側基礎部と縦壁側基礎部の車道方向の長さと同じ長さの直角接合部とし、該直角接合部の高さを車道側基礎部の高さの略１／３とし、かつこれと同様の長さ及び高さからなる隣接配置した他の張出歩道コンクリートブロックの車道側基礎部と縦壁側基礎部の間の直角接合部との両者間の直角接合部に間詰コンクリートを現場打ちし、該間詰コンクリートの養生を待つことなく直ちに間詰コンクリート上に床版を車道側基礎部と縦壁側基礎部の上に載置して車道路面の路盤材を敷設し、さらにアスファルト舗装し、かつ縦壁に沿って円形水路を内在する側溝を設置しかつ歩車道境界ブロックである縁石を敷設することを特徴とする張出歩道を有する車道の建設方法である。
【手続補正書】
【提出日】平成25年2月16日(2013.2.16)
【手続補正１】
【補正対象書類名】特許請求の範囲
【補正対象項目名】請求項３
【補正方法】変更
【補正の内容】
【請求項３】
請求項１記載のコンクリート製張出歩道構成体を用いてコンクリート製張出歩道を有する車道を路側に建設する方法であって、車道の下部の基礎工の路盤上に基礎コンクリートを打設し、該基礎コンクリートの上に車道側に張り出した張出歩道コンクリートブロックの車道側基礎部を載置し、車道側基礎部と縦壁側基礎部の間の中央部の直角接合部と、隣接配置した他の張出歩道コンクリートブロックの車道側基礎部と縦壁側基礎部の間の中央部の直角接合部との両者間に間詰コンクリートを現場打ちし、該間詰コンクリートの養生を待つことなく直ちに間詰コンクリート上に床版を車道基礎部と縦壁基礎部の上に載置して車道路用の路盤材を敷設し、さらにアスファルト舗装し、かつ縦壁に沿って円形水路を内在する側溝を設置しかつ歩車道境界ブロックである縁石を敷設することを特徴とする張出歩道を有する車道の建設方法。
【手続補正２】
【補正対象書類名】特許請求の範囲
【補正対象項目名】請求項４
【補正方法】変更
【補正の内容】
【請求項４】
請求項２記載のコンクリート製張出歩道構成体を用いてコンクリート製張出歩道を有する車道を路側に建設する方法であって、車道の下部の基礎工の路盤上に基礎コンクリートを打設し、該基礎コンクリートの上に車道側に張り出した張出歩道コンクリートブロックの車道側基礎部を載置し、車道側基礎部と縦壁側基礎部の車道方向の長さと同じ長さの直角接合部とし、該直角接合部の高さを車道側基礎部の高さの略１／３とし、かつ、これと同じ長さ及び高さからなる隣接配置した他の張出歩道コンクリートブロックの車道側基礎部と縦壁側基礎部の間の直角接合部との両者間の直角接合部に間詰コンクリートを現場打ちし、該間詰コンクリートの養生を待つことなく直ちに間詰コンクリート上に床版を車道基礎部と縦壁基礎部の上に載置して車道路用の路盤材を敷設し、さらにアスファルト舗装し、かつ縦壁に沿って円形水路を内在する側溝を設置しかつ歩車道境界ブロックである縁石を敷設することを特徴とする張出歩道を有する車道の建設方法。
【手続補正書】
【提出日】平成25年5月31日(2013.5.31)
【手続補正１】
【補正対象書類名】特許請求の範囲
【補正対象項目名】請求項３
【補正方法】変更
【補正の内容】
【請求項３】
請求項１記載のコンクリート製張出歩道構成体を用いてコンクリート製張出歩道を車道の路側に建設する方法であって、車道の下部の基礎工の路盤上に基礎コンクリートを打設し、該基礎コンクリートの上に車道側に張り出した張出歩道コンクリートブロックの車道側基礎部を載置し、車道側基礎部と縦壁側基礎部の間の中央部の直角接合部と、隣接配置した他の張出歩道コンクリートブロックの車道側基礎部と縦壁側基礎部の間の中央部の直角接合部との両者間に間詰コンクリートを現場打ちし、該間詰コンクリートの養生を待つことなく直ちに間詰コンクリート上に床版を車道基礎部と縦壁基礎部の上に載置して車道路用の路盤材を敷設し、さらにアスファルト舗装し、かつ縦壁に沿って円形水路を内在する側溝を設置しかつ歩車道境界ブロックである縁石を敷設することを特徴とする張出歩道を有する車道の建設方法。
【手続補正２】
【補正対象書類名】特許請求の範囲
【補正対象項目名】請求項４
【補正方法】変更
【補正の内容】
【請求項４】
請求項２記載のコンクリート製張出歩道構成体を用いてコンクリート製張出歩道を車道の路側に建設する方法であって、車道の下部の基礎工の路盤上に基礎コンクリートを打設し、該基礎コンクリートの上に車道側に張り出した張出歩道コンクリートブロックの車道側基礎部を載置し、車道側基礎部と縦壁側基礎部の車道方向の長さと同じ長さの直角接合部とし、該直角接合部の高さを車道側基礎部の高さの略１／３とし、かつ、これと同じ長さ及び高さからなる隣接配置した他の張出歩道コンクリートブロックの車道側基礎部と縦壁側基礎部の間の直角接合部との両者間の直角接合部に間詰コンクリートを現場打ちし、該間詰コンクリートの養生を待つことなく直ちに間詰コンクリート上に床版を車道基礎部と縦壁基礎部の上に載置して車道路用の路盤材を敷設し、さらにアスファルト舗装し、かつ縦壁に沿って円形水路を内在する側溝を設置しかつ歩車道境界ブロックである縁石を敷設することを特徴とする張出歩道を有する車道の建設方法。